(57)【要約】【課題】竿杆の特性を損なうことなく釣糸ガイドを取り付けることができるとともに、釣糸ガイドに対する釣糸の絡みを最大限に防止し得る釣竿を提供することを目的とする。【解決手段】本発明の釣竿１は、所定の幅Ｙを有して長手方向Ｘに延びる竿杆２と、竿杆２に取り付けられて釣糸を案内する釣糸ガイド１０とを備える。釣糸ガイド１０は、釣糸５０が挿通される円環状のガイド部１２と、ガイド部１２から延びる脚部１３，１３と、脚部１３，１３から延びて竿杆２に固定される固定部１４，１４とを有するとともに、ガイド部１２が竿杆２の表面２ａ側に位置された状態で固定部１４，１４が竿杆２の裏面２ｃに固定されることにより竿杆に取り付けられる。【選択図】図１
2013126384.tif 000002
【特許請求の範囲】
【請求項１】
所定の幅を有して長手方向に延びる竿杆と、該竿杆に取り付けられて釣糸を案内する釣糸ガイドとを備える釣竿であって、
前記釣糸ガイドは、釣糸が挿通される円環状のガイド部と、該ガイド部から延びる脚部と、該脚部から延びて竿杆に固定される固定部とを有するとともに、前記ガイド部が竿杆の表面側に位置された状態で前記固定部が竿杆の側面または裏面に固定されることにより竿杆に取り付けられることを特徴とする釣竿。
【請求項２】
前記ガイド部から一対の脚部が延びるとともに、各脚部から前記固定部が竿杆の長手方向に延び、
前記各脚部から延びるそれぞれの前記固定部は、その位置が竿杆の長手方向で互いにずれて固定されることを特徴とする請求項１に記載の釣竿。
【請求項３】
前記ガイド部から一対の脚部が延び、各脚部から延びるそれぞれの前記固定部は、前記ガイド部に対して互いに反対方向に向けられて竿杆に固定されることを特徴とする請求項１または請求項２に記載の釣竿。
【請求項４】
前記固定部が竿杆の幅方向に延びることを特徴とする請求項３に記載の釣竿。
【請求項５】
前記固定部が竿杆の長手方向に延びることを特徴とする請求項３に記載の釣竿。
【請求項６】
前記竿杆は、前記固定部が固定される固定部位の幅寸法がその周辺の部位の幅寸法よりも小さく設定されることを特徴とする請求項１ないし請求項５のいずれか１項に記載の釣竿。
【請求項７】
前記釣糸ガイドは、竿杆に形成された貫通孔に前記脚部が挿通された状態で前記固定部が竿杆に固定されることを特徴とする請求項１ないし請求項６のいずれか１項に記載の釣竿。
【発明の詳細な説明】
【技術分野】
【０００１】
本発明は、釣竿に関し、特に、釣糸を案内する釣糸ガイドの取り付け形態に特徴を有する釣竿に関する。
【背景技術】
【０００２】
釣糸を案内する釣糸ガイドが取り付けられて成る釣竿は、従来から様々な形態および用途のものが知られており、釣竿の竿杆に対する釣糸ガイドの取り付け形態も多種多様である。
【０００３】
例えば、特許文献１に開示される釣竿では、釣糸が延在する竿杆の表面側に、釣糸ガイドの脚部から延びる固定部がガイド固定部材によって固定されている。
【０００４】
また、特許文献２に開示される釣竿では、釣糸が延在する竿杆の表面側に、螺旋状の巻回部分を有する細径金属線から成る釣糸ガイドの固定端部が糸巻き固定され（更には、合成樹脂でコーティングされ）或いは金属パイプ等によって固定されている。
【先行技術文献】
【特許文献】
【０００５】
【特許文献１】登録実用新案第３０２１１６２号
【特許文献２】特開２００３−１７４８３７号
【発明の概要】
【発明が解決しようとする課題】
【０００６】
しかしながら、特許文献１に開示される釣竿では、釣糸が延在する竿杆の表面側に釣糸ガイドの固定部とともにガイド固定部材が存在するため、これらが竿杆の表面から大きく突出して、その突出部分に釣糸が接触し或いは絡まるといった事態が生じ易い。
【０００７】
また、特許文献２に開示される釣竿においても、釣糸が延在する竿杆の表面側に釣糸ガイドの固定端部とともに巻き糸（更には、合成樹脂のコーティング）或いは金属パイプ等が存在するため、これらが竿杆の表面から大きく突出して、その突出部分に釣糸が接触し或いは絡まるといった事態が生じ易い。
【０００８】
本発明は、前記事情に着目してなされたものであり、その目的とするところは、竿杆の特性を損なうことなく釣糸ガイドを取り付けることができるとともに、釣糸ガイドに対する釣糸の絡みを最大限に防止し得る釣竿を提供することにある。
【課題を解決するための手段】
【０００９】
前記課題を解決するために、請求項１に記載の発明は、所定の幅を有して長手方向に延びる竿杆と、該竿杆に取り付けられて釣糸を案内する釣糸ガイドとを備える釣竿であって、前記釣糸ガイドは、釣糸が挿通される円環状のガイド部と、該ガイド部から延びる脚部と、該脚部から延びて竿杆に固定される固定部とを有するとともに、前記ガイド部が竿杆の表面側に位置された状態で前記固定部が竿杆の側面または裏面に固定されることにより竿杆に取り付けられることを特徴とする。
【００１０】
この請求項１に記載の発明によれば、釣糸が挿通されるガイド部が竿杆の表面側（釣糸が延在する側）に位置された状態で、竿杆の側面または裏面に釣糸ガイドの固定部が固定されるため、すなわち、釣糸が延在する竿杆の表面側に固定部が存在しないため、固定部は勿論のこと、固定部を固定するための手段が竿杆の表面側に存在する場合であってもそのような手段が竿杆の表面から大きく突出することがなく、したがって、そのような突出部分に釣糸が接触し或いは絡まるといった事態も最小限に抑えられる。すなわち、本構成によれば、釣糸ガイドに対する釣糸の絡みを最大限に防止できる。なお、本構成において、脚部の数や、脚部および固定部の延在方向は任意である。すなわち、例えば、固定部は、竿杆の長手方向に延びてもよく、竿杆の幅方向に延びてもよく、または、竿杆の長手方向または幅方向に対して角度を成して斜めに延びても構わない。また、竿杆に対する固定部の固定形態も任意であり、接着、糸巻き固定等、様々な形態が考えられる。
【００１１】
また、請求項２に記載の発明は、請求項１に記載の発明において、前記ガイド部から一対の脚部が延びるとともに、各脚部から前記固定部が竿杆の長手方向に延び、前記各脚部から延びるそれぞれの前記固定部は、その位置が竿杆の長手方向で互いにずれて固定されることを特徴とする。
【００１２】
この請求項２に記載の発明によれば、請求項１に記載の発明と同様の作用効果が得られるとともに、一対の固定部が竿杆の長手方向で互いにずれて固定されるため、固定部同士が竿杆の長手方向で重なる領域を少なくすることができ、竿杆の長手方向の撓み（曲げ）に対して固定部が与える影響を最小限に抑えることができる。すなわち、竿杆の特性を損なうことなく（竿杆の長手方向のスムーズな撓みを確保しつつ）釣糸ガイドを取り付けることが可能になる。なお、本構成において、各固定部の長さは任意であり、例えば、一対の固定部の長さが互いに等しくてもよく或いは異なっていてもよい。また、一対の固定部が同じ方向に延びてもよく或いは反対方向に延びてもよい（反対方向に延びる場合には、必然的に、固定部同士が長手方向でずれて固定されることになる）。
【００１３】
また、請求項３に記載の発明は、請求項１または請求項２に記載の発明において、前記ガイド部から一対の脚部が延び、各脚部から延びるそれぞれの前記固定部は、前記ガイド部に対して互いに反対方向に向けられて竿杆に固定されることを特徴とする。
【００１４】
この請求項３に記載の発明によれば、請求項１または請求項２に記載の発明と同様の作用効果が得られるとともに、一対の固定部がガイド部に対して互いに反対方向に向けられて竿杆に固定されるため、竿杆上で固定部同士が並んで延在することがなく、したがって、固定部によって竿杆の曲げ特性が大きく損なわれることを防止できる。なお、本構成においては、固定部同士が反対方向に延びてさえいれば、固定部の延在方向は任意である。すなわち、例えば、固定部は、竿杆の長手方向で反対方向に延びてもよく、竿杆の幅方向で反対方向に延びてもよく、または、竿杆の長手方向または幅方向に対して角度を成して斜めに反対方向に延びても構わない。
【００１５】
また、請求項４に記載の発明は、請求項３に記載の発明において、前記固定部が竿杆の幅方向に延びることを特徴とする。
【００１６】
この請求項４に記載の発明によれば、請求項３に記載の発明と同様の作用効果が得られるとともに、固定部が竿杆の幅方向に延びるため、すなわち、固定部が竿杆の曲がり方向に延びないため、竿杆の長手方向の撓みがスムーズになる。
【００１７】
また、請求項５に記載の発明は、請求項３に記載の発明において、前記固定部が竿杆の長手方向に延びることを特徴とする。
【００１８】
この請求項５に記載の発明によれば、請求項３に記載の発明と同様の作用効果が得られるとともに、固定部同士が竿杆の長手方向で重ならないため、竿杆の長手方向の撓み（曲げ）に対して固定部が与える影響を最小限に抑えることができる。
【００１９】
また、請求項６に記載の発明は、請求項１ないし請求項５のいずれか１項に記載の発明において、前記竿杆は、前記固定部が固定される固定部位の幅寸法がその周辺の部位の幅寸法よりも小さく設定されることを特徴とする。
【００２０】
この請求項６に記載の発明によれば、請求項１ないし請求項５のいずれか１項に記載の発明と同様の作用効果が得られるとともに、固定部が固定される竿杆の部位がその周辺の部位よりも幅狭に形成されるため、固定部の固定に伴う竿杆の高剛性化を小さい幅寸法で補償でき、竿杆の長手方向のスムーズな曲がりを確保できる。
【００２１】
また、請求項７に記載の発明は、請求項１ないし請求項６のいずれか１項に記載の発明において、前記釣糸ガイドは、竿杆に形成された貫通孔に前記脚部が挿通された状態で前記固定部が竿杆に固定されることを特徴とする。
【００２２】
この請求項７に記載の発明によれば、請求項１ないし請求項６のいずれか１項に記載の発明と同様の作用効果が得られるとともに、貫通孔の存在により、ガイド部が竿杆の表面側に位置された状態での竿杆の裏面に対する固定部の固定を効率的に且つ容易に行なうことができる。
【発明の効果】
【００２３】
本発明によれば、竿杆の特性を損なうことなく釣糸ガイドを取り付けることができるとともに、釣糸ガイドに対する釣糸の絡みを最大限に防止し得る釣竿を提供することができる。
【図面の簡単な説明】
【００２４】
【図１】（ａ）は本発明の第１の実施形態に係る釣竿の斜視図、（ｂ）は（ａ）の釣竿の部分側面図、（ｃ）は（ｂ）の釣竿の平面図である。
【図２】（ａ）は図１の釣竿の１つの釣糸ガイド部およびその取り付け領域の拡大側面図、（ｂ）は（ａ）の平面図、（ｃ）は（ｂ）のＡ−Ａ線に沿う断面図である。
【図３】（ａ）は本発明の第２の実施形態に係る釣竿の１つの釣糸ガイド部およびその取り付け領域の拡大側面図、（ｂ）は（ａ）の平面図、（ｃ）は（ｂ）のＢ−Ｂ線に沿う断面図である。
【図４】（ａ）は本発明の第３の実施形態に係る釣竿の１つの釣糸ガイド部およびその取り付け領域の拡大側面図、（ｂ）は（ａ）の平面図、（ｃ）は（ｂ）のＣ−Ｃ線に沿う断面図である。
【図５】（ａ）は本発明の第４の実施形態に係る釣竿の１つの釣糸ガイド部およびその取り付け領域の拡大側面図、（ｂ）は（ａ）の平面図、（ｃ）は（ｂ）のＤ−Ｄ線に沿う断面図である。
【図６】（ａ）は本発明の第５の実施形態に係る釣竿の１つの釣糸ガイド部およびその取り付け領域の拡大側面図、（ｂ）は（ａ）の平面図、（ｃ）は（ｂ）のＥ−Ｅ線に沿う断面図である。
【図７】（ａ）は本発明の第６の実施形態に係る釣竿の１つの釣糸ガイド部およびその取り付け領域の拡大側面図、（ｂ）は（ａ）の平面図、（ｃ）は（ｂ）のＦ−Ｆ線に沿う断面図である。
【図８】本発明の第７の実施形態に係る釣竿の要部の平面図である。
【発明を実施するための形態】
【００２５】
以下、本発明に係る釣用靴の一実施形態について具体的に説明する。  
図１および図２は本発明の第１の実施形態を示している。図１に示されるように、本実施形態の釣竿１は、主にワカサギ釣りに適した構造となっており、所定の幅Ｙを有して長手方向Ｘに延びる竿杆２と、竿杆２に取り付けられて釣糸５０を案内する釣糸ガイド１０とを備える。この場合、竿杆２は、横ブレを抑制してその感度を高める（ワカサギのような小魚の当たりを感知し易い）ように薄肉扁平形状に形成されており、その基端が保持部５を介して糸巻き装置３に結合されている。なお、糸巻き装置３は、釣糸が巻回される糸巻き部４を有しており、電動巻回式のものであってもよく、あるいは、元竿として形成されて魚釣用リールが取り付けられる構成であっても構わない。
【００２６】
竿杆２は、例えば、炭素繊維、ガラス繊維等の強化繊維に合成樹脂を含浸させたシート状の部材を複数枚積層し、これを加熱成形することで、各シート状の部材が層状に密着した扁平構造に形成されており、表面２ａと、その反対側の裏面２ｃと、両側の一対の側面２ｂ，２ｂとを有する。また、竿杆２の表面２ａには、糸巻き装置３の糸巻き部４から繰り出される釣糸５０を案内する釣糸ガイド１０（先端ガイド１０’）が互いに所定の間隔を隔てて取り付けられている。
【００２７】
各釣糸ガイド１０は、例えばステンレス合金やアルミ合金等から成る線条部材（線径は例えば１ｍｍ〜３ｍｍ）を折り曲げ巻回して形成されており、釣糸５０が挿通される円環状のガイド部１２と、ガイド部１２から延びる一対の脚部１３，１３と、各脚部１３，１３から延びて竿杆２に固定される固定部１４，１４とを有する。この場合、ガイド部１２は、線条部材を螺旋状に巻回（例えば１巻〜複数巻）することにより形成されており、その巻回部の両端から脚部１３，１３が竿杆２の表面２ａへ向けて延びている。
【００２８】
そして、釣糸ガイド１０は、ガイド部１２が竿杆２の表面２ａ側に位置された状態で、竿杆２の表面２ａへ向けて延びる脚部１３，１３が竿杆２に形成された貫通孔２０に挿通されて、固定部１４，１４が竿杆２の裏面２ｃに接着によって固定される（この場合、図２の（ｃ）に示されるように、接着部分を樹脂（接着剤でもよい）３０で覆ってもよい）。なお、先端ガイド１０’は、脚部１３，１３が貫通孔２０に挿通されることなく固定部１４，１４が基端側に折り曲げられて竿杆２の裏面に取り付けられる。
【００２９】
また、この取り付け状態において、一対の固定部１４，１４は、竿杆２の長手方向Ｘに延びており、具体的には、共に竿杆２の基端側へ向けて略平行に延びている。また、そのように長手方向Ｘに延びる固定部１４，１４は、その位置が竿杆２の長手方向Ｘで互いにずれて固定される。具体的には、図２の（ｂ）に明確に示されるように、竿杆２の基端側へ向けて長手方向Ｘに延びる一方の固定部１４と他方の固定部１４とは、その位置が竿杆２の長手方向Ｘで長さｓだけ互いにずれて固定される。この場合、一方の固定部１４の長さＬ１および他方の固定部１４の長さＬ２は、互いに同一であってもよく或いは異なっていてもよい。
【００３０】
以上のように、本実施形態によれば、釣糸５０が挿通されるガイド部１２が竿杆２の表面２ａ側（釣糸５０が延在する側）に位置された状態で、竿杆２の裏面２ｃに釣糸ガイド１０の固定部１４，１４が固定されるため、すなわち、釣糸５０が延在する竿杆２の表面２ａ側に固定部１４，１４が存在しないため、固定部１４，１４が竿杆２の表面２ａから突出することがなく、したがって、釣糸５０が固定部１４，１４に接触し或いは絡まるといった事態を回避できる。すなわち、本実施形態によれば、釣糸ガイド１０に対する釣糸５０の絡みを最大限に防止できる。
【００３１】
また、本実施形態によれば、一対の固定部１４，１４が竿杆２の長手方向Ｘで互いにずれて固定されるため、固定部１４，１４同士が竿杆２の長手方向Ｘで重なる領域Ｌ３（図２の（ｂ）参照）を少なくすることができ、竿杆２の長手方向Ｘの撓み（曲げ）に対して固定部１４，１４が与える影響を最小限に抑えることができる。すなわち、竿杆２の特性を損なうことなく（竿杆２の長手方向Ｘのスムーズな撓みを確保しつつ）釣糸ガイド１０を取り付けることが可能になる。
【００３２】
また、本実施形態によれば、貫通孔２０の存在により、ガイド部１２が竿杆２の表面２ａ側に位置された状態での竿杆２の裏面２ｃに対する固定部１４，１４の固定を効率的に且つ容易に行なうことができる。
【００３３】
図３は本発明の第２の実施形態を示している。図示のように、本実施形態では、釣糸ガイド１０の一対の脚部１３，１３が貫通孔２０に通された後、それらの対応する固定部１４，１４が別の貫通孔２０に例えば２回挿通されて折り返し部１４ａを形成した状態で竿杆２の裏面２ｃに固定されている。なお、それ以外の構成は第１の実施形態と同一である。したがって、このような構成によれば、竿杆２に対する固定部１４，１４の固定強度を高めることができ、釣竿ガイド１０を竿杆２に対して強固に取り付けることができる。
【００３４】
図４は本発明の第３の実施形態を示している。図示のように、本実施形態では、固定部１４，１４が接着を伴って或いは接着を伴わずに糸２５の巻回によって固定されている（糸巻き固定されている）。この場合、糸２５は、固定部１４，１４と共に竿杆２を取り囲むように複数回巻回されている。なお、それ以外の構成は第１の実施形態と同一である。
【００３５】
このような構成においても、第１の実施形態と同様、釣糸５０が延在する竿杆２の表面２ａ側に固定部１４，１４が存在しないため、固定部１４，１４は勿論のこと、固定部１４，１４を固定するための手段である糸２５が竿杆２の表面から大きく突出することがなく（仮に固定部１４，１４が竿杆２の表面２ａ側に存在する場合には、固定部１４，１４の厚さ分だけ糸２５が盛り上がり、釣糸絡みのリスクが増大する）、したがって、そのような突出部分に釣糸５０が接触し或いは絡まるといった事態も最小限に抑えられる。
【００３６】
図５は本発明の第４の実施形態を示している。図示のように、本実施形態では、貫通孔２０に通された各脚部１３，１３から延びるそれぞれの固定部１４，１４が、ガイド部１２に対して互いに反対方向に向けられ、具体的には、竿杆２の幅方向Ｙに延びて、竿杆２の裏面２ｃに接着等により固定される。なお、それ以外の構成は第１の実施形態と同一である。
【００３７】
このように、本実施形態によれば、一対の固定部１４，１４がガイド部１２に対して互いに反対方向に向けられて竿杆２の裏面２ｃに固定されるため、竿杆２上で固定部１４，１４同士が並んで延在することがなく、したがって、固定部１４，１４によって竿杆２の曲げ特性が大きく損なわれることを防止できる。特に、本実施形態では、固定部１４，１４が竿杆２の幅方向に延びるため、すなわち、固定部が竿杆の曲がり方向（長手方向）に延びないため、竿杆２の長手方向の撓みが更にスムーズになる。なお、本構成においては、固定部１４，１４同士が幅方向で反対方向に延びてさえいれば、固定部１４，１４の延在方向は任意である（互いに平行でなくてもよく、あるいは、竿杆２の長手方向と垂直な方向に対して角度をもって延びてもよい）。
【００３８】
図６は本発明の第５の実施形態を示している。図示のように、本実施形態において、釣糸ガイド１０は、ガイド部１２が竿杆２の表面２ａ側に位置された状態で、竿杆２の表面２ａへ向けて延びる脚部１３，１３がそのまま竿杆２の側面２ｂへと至り（前述した実施形態のように貫通孔に挿通されることなく）、その固定部１４，１４が竿杆２の側面２ｂに沿って糸２５巻き固定される。なお、それ以外の構成は第１の実施形態と同一である。
【００３９】
このように、固定部１４，１４を竿杆２の側面２ｂに固定した場合であっても、裏面２ｃに固定した場合と同様、固定部１４，１４が竿杆２の表面２ａ側に存在しないため、第１の実施形態と同様の作用効果を得ることができる。
【００４０】
図７は本発明の第６の実施形態を示している。図示のように、本実施形態において、釣糸ガイド１０は、ガイド部１２が竿杆２の表面２ａ側に位置された状態で、竿杆２の表面２ａへ向けて延びる脚部１３，１３がそのまま竿杆２の側面２ｂへと至り、その固定部１４，１４が、ガイド部１２に対して互いに反対方向に向けられ、具体的には、竿杆２の長手方向Ｙに前後に延びて、竿杆２の側面２ｂに沿って糸２５巻き固定される。
【００４１】
このような構成によれば、固定部１４，１４同士が竿杆２の長手方向で重ならないため、竿杆２の長手方向の撓み（曲げ）に対して固定部が与える影響を最小限に抑えることができる。なお、本構成において、固定部１４，１４は、前述した実施形態のように脚部１３，１３が竿杆２の貫通孔２０に挿通された後に竿杆２の裏面２ｃで長手方向Ｙに前後に延びて固定されてもよい。
【００４２】
図８は本発明の第７の実施形態を示している。図示のように、本実施形態において、竿杆２は、釣糸ガイド１０の固定部１４，１４が固定される固定部位（糸２５巻き固定される部位）の幅寸法がその周辺の部位の幅寸法よりも小さく設定されている。具体的には、竿杆２の前記各固定部位に環状の溝部４３が形成されている。
【００４３】
このような構成によれば、固定部１４，１４が固定される竿杆２の部位がその周辺の部位よりも幅狭に形成されるため、固定部１４，１４の固定に伴う竿杆２の高剛性化を小さい幅寸法で補償でき、竿杆２の長手方向のスムーズな曲がりを確保できる。
【００４４】
以上、本発明の実施形態について説明したが、本発明は、前述した実施形態に限定されず、その要旨を逸脱しない範囲で種々変形して実施できる。例えば、前述した実施形態において、釣糸ガイドの脚部の数や、脚部および固定部の延在方向は任意である。すなわち、例えば、固定部は、竿杆の長手方向に延びてもよく、竿杆の幅方向に延びてもよく、または、竿杆の長手方向または幅方向に対して角度を成して斜めに延びても構わない。また、竿杆に対する固定部の固定形態も任意であり、接着、糸巻き固定等、様々な形態が考えられる。
【符号の説明】
【００４５】
１  釣竿
２  竿杆
２ａ  表面
２ｂ  側面
２ｃ  裏面
１０  釣糸ガイド
１２  ガイド部
１３  脚部
１４  固定部
２０  貫通孔
５０  釣糸
Ｘ  長手方向
Ｙ  幅方向
【図１】
2013126384.tif 000003
【図２】
2013126384.tif 000004
【図３】
2013126384.tif 000005
【図４】
2013126384.tif 000006
【図５】
2013126384.tif 000007
【図６】
2013126384.tif 000008
【図７】
2013126384.tif 000009
【図８】
2013126384.tif 000010